【事件の表示】
　特許第３１８３２８５号「端子接続構造および液晶表示装置」の請求項１、２に係る特許に対する特許異議の申立てについて、次のとおり決定する。
【結　論】
　訂正を認める。
　特許第３１８３２８５号の請求項１ないし２に係る特許を維持する。
【理　由】
〔１〕手続の経緯
　特許第3183285号の請求項１、２に係る発明についての出願は、平成２年５月24日に出願した特願平2-134654号の一部を平成11年７月８日に新たな特許出願としたものであって、平成13年４月27日にその発明について特許権の設定登録がされ、その後、その特許について、異議申立人・久米和子により特許異議の申立てがされ、取消しの理由が通知され、その指定期間内である平成14年７月５日に訂正請求がされたものである。
　
〔２〕訂正の適否についての判断
(1)訂正の内容
　ア．訂正事項
　特許権者が求めている訂正の内容は、以下のａ〜ｃのとおりである。
　ａ．【特許請求の範囲】の【請求項１】中の「前記半田付け部分においては、前記一方の端子の幅は、それに対応する前記他方の端子の幅より狭い」を
「前記半田付け部分においては、前記一方の端子の幅は、それに対応する前記他方の端子の幅より狭
く、前記一方の端子における前記他方の端子の幅より狭い部分は、前記一方の端子における前記ベースフィルムに重なる部分の幅よりも狭
　ｂ．発明の詳細な説明中の段落【0006】の「前記半田付け部分においては、前記一方の端子の幅は、それに対応する前記他方の端子の幅より狭いことを特徴とする。また、本発明の液晶表示装置は、上記の端子接続構造を有することを特徴とする液晶表示装置。」を
「前記半田付け部分においては、前記一方の端子の幅は、それに対応する前記他方の端子の幅より狭
く、前記一方の端子における前記他方の端子の幅より狭い部分は、前記一方の端子における前記ベースフィルムに重なる部分の幅よりも狭
る。
　ｃ．発明の詳細な説明中の段落【0012】の「前記他方の端子の幅より狭い」を「前記他方の端子の幅より狭
く、前記一方の端子における前記他方の端子の幅より狭い部分は、前記一方の端子における前記ベースフィルムに重なる部分の幅よりも狭
　
　イ．訂正の目的の適否、新規事項の有無及び拡張・変更の存否
　訂正事項ａ．は、一方の端子の幅について「一方の端子における前記他方の端子の幅より狭い部分は、前記一方の端子における前記ベースフィルムに重なる部分の幅よりも狭い」ことを追加して限定するものであるから、特許請求の範囲の減縮に該当するものであり、願書に添付した明細書（以下、「特許明細書」という。）の段落【0007】の「鼓形状のメリットとしては、端子幅が両側部分から中央部分に向かって徐々に狭くなっているため、半田付け後の前記端子の部分の強度は、両側部分の端子幅でストレートになっている従来形状の端子の強度とほとんど同じである。」及び段落【0010】の「上記実施例では、端子１の形状を鼓形状としたが、この形状に限らず、一対の端子間の半田付け接合する領域内で、少なくとも一部が狭くなる、又は切り欠いたような形状であれば、上記実施例と同様の効果が得られる。」との記載に基づくものであるから、新規事項の追加に該当しない。
　訂正事項ｂ．、ｃ．は、訂正事項ａ．の訂正に伴い、明細書の記載を整合するものであるから、明りょうでない記載の釈明に該当し、新規事項の追加に該当しない。
　そして、上記いずれの訂正事項も実質上特許請求の範囲を拡張し、又は変更するものでもない。
　
　ウ．むすび
　以上のとおりであるから、上記訂正は特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
〔３〕特許異議の申立てについての判断
(1)申立ての理由の概要
　特許異議申立人・久米和子は、請求項１、２に係る発明は、甲第１号証（「ＴＡＢ技術入門」、畑田賢造著、株式会社工業調査会、1990年１月25日発行、第221〜247頁）に記載されたものに基づいて当業者が容易に発明をすることができたものであるから、当該特許は取り消されるべきものであると主張する。
　
(2)本件発明
　上記〔２〕で示したように上記訂正が認められるから、本件の請求項１、２に係る発明（以下、「本件発明１」、「本件発明２」という。）は、訂正明細書の請求項１、２に記載された次のとおりのものである。
「【請求項１】複数の一方の端子、及びそれらに対向する複数の他方の端子の各々が互いに接続されてなる端子接続構造において、前記一方の端子は、それに対応する前記他方の端子と接続される半田付け部分を含み、前記複数の一方の端子はベースフィルム上に配置されており、前記複数の他方の端子は基板上に配設されており、前記ベースフィルムは、前記半田付け部分の両側位置に設けられ、且つ前記半田付け部分には設けられておらず、前記半田付け部分においては、前記一方の端子の幅は、それに対応する前記他方の端子の幅より狭く、前記一方の端子における前記他方の端子の幅より狭い部分は、前記一方の端子における前記ベースフィルムに重なる部分の幅よりも狭いことを特徴とする端子接続構造。
【請求項２】請求項１に記載の端子接続構造を有することを特徴とする液晶表示装置。」
　
(3)甲第１号証に記載された発明
　甲第１号証には、ＯＬＢ（Outer Lead Bonding）に関して、写真10.2、図10.4、写真10.3等とともに以下の事項が記載されている。
ア．「フィルムキャリヤのアウタリードと回路基板の電極同士を接続する工程をＯＬＢと呼ぶ。」（第221頁第３〜４行）
イ．「ＴＡＢパッケージを搭載する回路基板およびその材料も種類が多い。たとえば、ＬＣＤに用いるガラス板の回路基板で、その電極がＩＴＯ（Indium Tin Oxide）のごとく、はんだ付けができない材料も用いられている。」（第221頁第17〜20行）
ウ．「アウタリードのリード不揃いを解決する方法として、アウタリードの先端部にフィルムキャリヤテープを残存させる方法がよく用いられる。写真10.2(a)は、この例で、特にリードピッチが狭くなったり、リード数が多くなってきた時に効果を発揮する。」（第226頁第７〜10行）
エ．「図10.4は、はんだめっきの場合の、はんだ接合部の拡大を示す。接合は、後述するようにはんだリフローを用いる例は少なく、加熱したツールでリードを押さえることによって行う。このために、リード上面にはんだ層が形成されることはない。接合部ではリードの側面によってはんだ付けされている。このために、リードの幅に対し、配線基板の電極の幅は広く設計されなければ、リードの接合強度は低下しやすい（図10.4(a)）。」（第228頁第18〜23行）
オ．「写真10.3は、アウタリード側が、Ａｕめっき処理、回路基板側がはんだ層の例である。はんだとＡｕとの濡れの悪さを確認できる。」（第230頁第６〜７行）
　したがって、上記甲第１号証には、下記の発明（以下、「引用発明」という。）が記載されているものと認める。
「複数のアウタリード、及びそれらに対向する複数の配線電極の各々が互いに接続されてなる端子接続構造において、前記アウタリードは、それに対応する前記配線電極と接続される半田付け部分を含み、前記複数のアウタリードはフィルムキャリヤ上に配置されており、前記複数の配線電極は回路基板上に配設されており、前記フィルムキャリヤは、前記半田付け部分の両側位置に設けられ、且つ前記半田付け部分には設けられておらず、前記半田付け部分においては、前記アウタリードの幅は、それに対応する前記配線電極の幅より狭いことを特徴とする端子接続構造」
　
(3)対比・判断
ア．本件発明１と引用発明を対比すると、引用発明の「アウタリード」、「配線電極」、「フィルムキャリヤ」、「回路基板」は、その機能及び構成から見て、本件発明１の「一方の端子」、「他方の端子」、「ベースフィルム」、「基板」に相当するものと認められるので、
　両者は、「複数の一方の端子、及びそれらに対向する複数の他方の端子の各々が互いに接続されてなる端子接続構造において、前記一方の端子は、それに対応する前記他方の端子と接続される半田付け部分を含み、前記複数の一方の端子はベースフィルム上に配置されており、前記複数の他方の端子は基板上に配設されており、前記ベースフィルムは、前記半田付け部分の両側位置に設けられ、且つ前記半田付け部分には設けられておらず、前記半田付け部分においては、前記一方の端子の幅は、それに対応する前記他方の端子の幅より狭いことを特徴とする端子接続構造」の点で一致しており、
　本件発明１が、「一方の端子における前記他方の端子の幅より狭い部分は、前記一方の端子における前記ベースフィルムに重なる部分の幅よりも狭い」のに対して、引用発明は、その点の構成を有していない点で相違する。
　つまり、甲第１号証には、アウタリード（本件発明１の「一方の端子」）と、それよりも幅の広い配線電極（本件発明１の「他方の端子」）を半田付けで接合したものが図10.4に図示され、かつ、「接合部ではリードの側面によってはんだ付けされている。このために、リードの幅に対し、配線基板の電極の幅は広く設計されなければ、リードの接合強度は低下しやすい」と記載されていることからみて、引用発明は、半田付け部分における配線電極の幅を変更するものであり、「アウターリードは、電極に接続される領域からフィルムキャリヤテープに重なる部分まで全体として同じ幅である」と解するのが相当であり、引用発明は上記した点の構成を有していない。
　そして、本件発明１は、上記の構成を具備することにより、「対向する端子の半田付け部分の半田のぬれ具合が該両端子の半田付け部分の側面の微小部分のぬれ具合だけでなく、該端子の半田付け部分の幅が狭くなっている部分の半田のぬれ具合及び半田の裾をひいた形状をみることによって半田付け状態を容易に判定できるため、半田付け作業が容易になり、作業時間が短縮される。」という特許明細書に記載の効果があるほか、「半田接続後に半田接続部分に外力が加わった場合に、応力が集中する部分であるところの半田付け部分と隣接した、一方の端子におけるベースフィルムに重なる部分において、一方の端子の幅を広くとれるので、一方の端子の断線、ベースフィルムからの剥離の発生を低減でき、一方の端子と他方の端子との半田接続をより強固にできる」という効果を奏するものと認められる。
　したがって、本件発明１は、引用発明に基づいて当業者が容易に発明をすることができたものとすることはできない。
　
イ．本件発明２は、本件発明１に「液晶表示装置」を追加して限定したものであるから、本件発明１が引用発明に基づき当業者が容易に発明をすることができたものとすることができない以上、本件発明２も、引用発明に基づき当業者が容易に発明をすることができたものとすることはできない。
　
〔４〕むすび
　以上のとおりであるから、特許異議の申立ての理由によっては本件発明１、２についての特許を取り消すことはできない。
　また、他に本件発明１、２についての特許を取り消すべき理由を発見しない。
　したがって、本件発明１、２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月１９日（２００２．８．１９）
【訂正の要旨】
　特許権者が求めている訂正の内容は、以下のａ〜ｃのとおりである。
　ａ．【特許請求の範囲】の【請求項１】中の「前記半田付け部分においては、前記一方の端子の幅は、それに対応する前記他方の端子の幅より狭い」を
「前記半田付け部分においては、前記一方の端子の幅は、それに対応する前記他方の端子の幅より狭
く、前記一方の端子における前記他方の端子の幅より狭い部分は、前記一方の端子における前記べースフィルムに重なる部分の幅よりも狭
　ｂ．発明の詳細な説明中の段落【０００６】の「前記半田付け部分においては、前記一方の端子の幅は、それに対応する前記他方の端子の幅より狭いことを特徴とする。また、本発明の液晶表示装置は、上記の端子接続構造を有することを特徴とする液晶表示装置。」を
「前記半田付け部分においては、前記一方の端子の幅は、それに対応する前記他方の端子の幅より狭
く、前記一方の端子における前記他方の端子の幅より狭い部分は、前記一方の端子における前記べースフィルムに重なる部分の幅よりも狭
る。
　ｃ．発明の詳細な説明中の段落【００１２】の「前記他方の端子の幅より狭い」を「前記他方の端子の幅より狭
く、前記一方の端子における前記他方の端子の幅より狭い部分は、前記一方の端子における前記べースフィルムに重なる部分の幅よりも狭
（５４）【発明の名称】
端子接続構造および液晶表示装置
（５７）【特許請求の範囲】
　【請求項１】　複数の一方の端子、及びそれらに対向する複数の他方の端子の各々が互いに接続されてなる端子接続構造において、
　前記一方の端子は、それに対応する前記他方の端子と接続される半田付け部分を含み、
　前記複数の一方の端子はベースフィルム上に配設されており、
　前記複数の他方の端子は基板上に配設されており、
　前記ベースフィルムは、前記半田付け部分の両側位置に設けられ、且つ前記半田付け部分には設けられておらず、
　前記半田付け部分においては、前記一方の端子の幅は、それに対応する前記他方の端子の幅より狭く、前記一方の端子における前記他方の端子の幅より狭い部分は、前記一方の端子における前記ベースフィルムに重なる部分の幅よりも狭いことを特徴とする端子接続構造。
　【請求項２】　請求項１に記載の端子接続構造を有することを特徴とする液晶表示装置。
【発明の詳細な説明】
　【０００１】
　【発明の属する技術分野】
　本発明は電気また電子機器の電気的接続方法に関する。
　【０００２】
　【従来の技術】
　従来、対向する半田付け端子において、一方の端子の幅または面積は他の対向する半田付け端子の幅または面積と等しくなっていた。
　【０００３】
　図６は従来の実施例を示す斜視図で、１は対向する一方の端子であり、２は前記端子１と対向する他方の端子であり、端子１と端子２の幅は等しくなっている。端子１と端子２は半田３によって半田付けされている。図７は図６におけるＢ−Ｂ′面の断面図である。
　【０００４】
　【発明が解決しようとする課題】
　しかし、前述の従来技術では対向する半田付け端子１と２の対向する面に半田をぬらすのに、半田のぬれ具合を確認するのに前記端子１の上面の半田のぬれ具合及び、前記端子１及び端子２の側面の微小部分の半田のぬれ具合をみて半田付け作業を行わなければならず、前記半田付け端子１と２の対向する面の半田のぬれ状態の判定は不確実である。したがって、半田付け作業としては、加熱時間を長くしたり、半田及びフラックスを多くつぎたしたりするため、作業時間が多くかかったり、半田材料を多量に使用したりするという問題点があった。また、半田付けされたものの半田品質を判定するのに前記端子１と２の側面の微小な部分の半田付け外観で判断せざるを得ず、したがって判定しにくく、確実性に欠け、判定作業に時間がかかるといった問題点も有していた。
　【０００５】
　本発明ではかかる問題点を解決し、半田付け作業を容易にし、作業時間を短縮し、また半田付けの確実性、品質レベルを向上させ、判定作業時間も短縮することを目的とする。
　【０００６】
　【課題を解決するための手段】
　本発明の端子接続構造は、複数の一方の端子、及びそれらに対向する複数の他方の端子の各々が互いに接続されてなる端子接続構造において、前記一方の端子は、それに対応する前記他方の端子と接続される半田付け部分を含み、前記複数の一方の端子はベースフィルム上に配設されており、前記複数の他方の端子は基板上に配設されており、前記ベースフィルムは、前記半田付け部分の両側位置に設けられ、且つ前記半田付け部分には設けられておらず、前記半田付け部分においては、前記一方の端子の幅は、それに対応する前記他方の端子の幅より狭く、前記一方の端子における前記他方の端子の幅より狭い部分は、前記一方の端子における前記ベースフィルムに重なる部分の幅よりも狭いことを特徴とする。
　また、本発明の液晶表示装置は、上記の端子接続構造を有することを特徴とする。
　【０００７】
　【実施例】
　図１は本発明の一実施例の主要部の斜視図であって、対向する端子１と２が半田３によって半田付けされている。図２は図１のＡ−Ａ′の断面図である。図４に示すように該端子１は中央部分が狭くなった形状、すなわち鼓形状となっていて、べースフィルム７が半田付け端子部分にないオーバーハング構造となっている。前記端子１が鼓形状となっていることによって、該端子１と２の半田のぬれ具合が該端子１と２の側面の微小部分の半田のぬれ具合だけでなく、前記端子１の鼓形状の中央部が細くなっている部分の半田のぬれ具合及び前記半田３の裾をひいた形状をみることによって半田付け状態を容易に判定できるため、半田付け作業が容易になり、作業時間が短縮される。また、半田付けの確実性、品質レベルが向上し、検査作業時間も短縮される。さらに前記端子１の鼓形状のメリットとしては、端子幅が両側部分から中央部分に向かって徐々に狭くなっているため、半田付け後の前記端子の強度は、両側部分の端子幅でストレートになっている従来形状の端子の強度とほとんど同じである。したがって、より微細ピッチの半田付け端子となった場合においても、半田付け強度は充分確保され、なおかつ、半田付け作業が容易で、短時間に行え、半田付け品質も充分確保された半田付けが可能である。
　【０００８】
　図３は本発明を実施した液晶表示装置の一実施例である。４は液晶駆動用ドライバーを搭載したフレキシブル基板であり、５はドライバーに信号を入力する実装基板であり、６は液晶表示体である。
　【０００９】
　図５は図３の前記４のフレキシブル基板の本発明の他の一実施例の主要部の斜視図であり、端子１の形状は前記図４の該端子の形状と同様な鼓形状であるが、べースフィルム７が半田付け端子部分まで前記端子１と同様な鼓形状となっている。すなわち、半田付け端子の中央部分の端子幅が狭くなっているため、半田付けすると前記図１の実施例と同様に、半田のぬれ具合が端子の側面だけでなく、中央部の細い部分での半田の裾をひいた状態をみることによって半田付け状態を容易に判定できる。したがって半田付け作業が容易になり作業時間が短縮される。また半田付けの確実性、品質レベルが向上し、検査作業時間も短縮される。さらに図４の実施例と同様により微細ピッチの半田付け端子としても有効である。
　【００１０】
　なお、上記実施例では、端子１の形状を鼓形状としたが、この形状に限らず、一対の端子間の半田付け接合する領域内で、少なくとも一部が狭くなる、又は切り欠いたような形状であれば、上記実施例と同様の効果が得られる。
　【００１１】
　また、端子間の接合部材としては、上記実施例では、半田を使用したが、半田以外にも接着剤や粘着剤等に対しても本発明は適用可能である。
　【００１２】
　【発明の効果】
　以上述べたように本発明によれば、複数の一方の端子、及びそれらに対向する複数の他方の端子の各々が互いに接続されてなる端子接続構造において、前記一方の端子は、それに対応する前記他方の端子と接続される半田付け部分を含み、前記複数の一方の端子はベースフィルム上に配設されており、前記複数の他方の端子は基板上に配設されており、前記ベースフィルムは、前記半田付け部分の両側位置に設けられ、且つ前記半田付け部分には設けられておらず、前記半田付け部分においては、前記一方の端子の幅は、それに対応する前記他方の端子の幅より狭く、前記一方の端子における前記地方の端子の幅より狭い部分は、前記一方の端子における前記ベースフィルムに重なる部分の幅よりも狭いことにより、対向する端子の半田付け部分の半田のぬれ具合が該両端子の半田付け部分の側面の微小部分の半田のぬれ具合だけでなく、該端子の半田付け部分の幅が狭くなっている部分の半田のぬれ具合及び半田の裾をひいた形状をみることによって半田付け状態を容易に判定できるため、半田付け作業が容易になり、作業時間が短縮される。また、半田付けの確実性、品質レベルが向上し、検査作業時間も短縮される。
【図面の簡単な説明】
　【図１】本発明の半田付け端子の一実施例を示す図。
　【図２】図１のＡ−Ａ′面の断面図。
　【図３】本発明の半田付け端子を用いた液晶表示装置の一実施例を示す図。
　【図４】本発明の図１の実施例に使われた半田付け端子の主要部を示す図。
　【図５】本発明の他の実施例の半田付け端子の主要部を示す図。
　【図６】従来の半田付け端子の半田付け状態を示す図。
　【図７】図６のＣ−Ｃ′面の断面図。
　【符号の説明】
　１…対向する一方の端子
　２…対向する他方の端子
　３…半田
　４…ドライバ搭載フレキシブル基板
　５…実装基板
　６…液晶表示体
　７…ベースフィルム